(57)【特許請求の範囲】
【請求項１】
魚類の採食および採食行動を誘起する方法であって、
少なくとも一種の性ホルモンまたはその合成種を含んでなる組成物の適切な量を前記魚類に曝す工程を含み、
前記少なくとも一種の性ホルモンが性フェロモンとして作用可能であって魚類または海産多毛環形類に由来する方法。
【請求項２】
前記少なくとも一種の性ホルモンは、１７，２０β−ジヒドロキシ−４−プレグネン−３−オン、プロゲステロン、１７，２０β，２１−トリヒドロキシ−４−プレグネン−３−オン、テストステロングルクロニド（testosterone glucuronide）、５β−プレグネン−３α，１７β−ジオール−２０−オン−３α−グルクロニド、１７α−ジヒドロキシ−４−プレグネン−３−オン２０硫酸塩、ケトン５−メチル−３−ヘプタノン、ケトン３，５−オクタジエン−２−オン、およびＡ、Ｂ、Ｄ、ＥならびにＦ類のプロスタグランジンを含む群から選択される、請求項１に記載の方法。
【請求項３】
前記少なくとも一種の性ホルモンは、１７，２０β−ジヒドロキシ−４−プレグネン−３−オン、またはその共役物の一つである、請求項１に記載の方法。
【請求項４】
前記少なくとも一種の性ホルモンは、揮発性ステロイドグルクロニド（steroid glucuronide）である、請求項１に記載の方法。
【請求項５】
前記ステロイドグルクロニドは、テストステロングルクロニド、５β−プレグネン−３α，１７β−ジオール−２０−オン−３α−グルクロニド、またはその合成種である、請求項４に記載の方法。
【請求項６】
前記少なくとも一種の性ホルモンは、海産多毛環形類に由来する、請求項１に記載の方法。
【請求項７】
前記少なくとも一種の性ホルモンは、ケトン５−メチル−３−ヘプタノン、ケトン３，５−オクタジエン−２−オン、またはその合成種である、請求項６に記載の方法。
【請求項８】
前記少なくとも一種の性ホルモンは、プロスタグランジン類から選択された化合物の少なくとも一種と共に用いられる、請求項１から７の何れかに記載の方法。
【請求項９】
前記プロスタグランジンは、プロスタグランジンＡ、Ｂ、Ｄ、ＥもしくはＦ類、またはその合成種である、請求項８に記載の方法。
【請求項１０】
前記性ホルモンは１７，２０β−ジヒドロキシ−４−プレグネン−３−オンであり、前記プロスタグランジンはプロスタグランジンＦ２αである、請求項８に記載の方法。
【請求項１１】
前記少なくとも一種の性ホルモンは、許容可能なキャリアと共に用いられる、請求項１から７の何れかに記載の方法。
【請求項１２】
前記キャリアは脂肪族アルコールである、請求項１１に記載の方法。
【請求項１３】
前記キャリアはプロピレングリコールである、請求項１１に記載の方法。
【請求項１４】
前記少なくとも一種の性ホルモンは、魚類の尿中存在する香気の強い化学物質の少なくとも一種と共に用いられる、請求項１から１３の何れかに記載の方法。
【請求項１５】
前記組成物は液体である、請求項１から１４の何れかに記載の方法。
【請求項１６】
前記組成物はフィッシングで使用する餌に注入するために配合された、請求項１から１５のいずれかに記載の方法。
【請求項１７】
前記組成物はスプレーとして配合されている、請求項１から１５の何れかに記載の方法。
【請求項１８】
魚類の採食および採食行動を誘起するプラスチックベイトであって、
少なくとも一種の性ホルモンまたはその合成種を含んでなる組成物を含み、
前記少なくとも一種の性ホルモンが性フェロモンとして作用可能であって魚類または海産多毛環形類に由来するベイト。
【請求項１９】
魚類の採食および採食行動を誘起する乾燥撒き餌であって、
少なくとも一種の性ホルモンまたはその合成種を含んでなる組成物を含み、
前記少なくとも一種の性ホルモンが性フェロモンとして作用可能であって魚類または海産多毛環形類に由来する餌。
【請求項２０】
魚類の採食および採食行動を誘起する方法であって、
組成物を適切な餌へ加える工程と、
前記餌を魚類の採食および採食行動を誘起するために使用する工程と、を含み、
前記組成物が少なくとも一種の性ホルモンまたはその合成種を含んでなり、前記少なくとも一種の性ホルモンが性フェロモンとして作用可能であって魚類または海産多毛環形類に由来する方法。
【請求項２１】
魚類の採食および採食行動を誘起する方法であって、１７，２０β−ジヒドロキシ−４−プレグネン−３−オンを含んでなる組成物の適切な量を前記魚類に曝して前記魚類の採食および採食行動を誘起する工程を含む方法。
【発明の詳細な説明】
【０００１】
【発明の属する技術分野】
本発明は漁獲量促進のための集魚剤として役に立ち、さらにより一般的な水産養殖を目的とする使用のために配合された組成物に関する。より具体的には、漁の時に釣人や商業漁業者が使用する餌、ルアー、フライの表面または中に使用する、魚類の採食行動および採食を誘起する組成物を提供するものである。
【０００２】
【従来の技術】
竿釣りやフィッシングは人気の高いスポーツであり、よってこのスポーツに参加する人々の釣果を増やすことを目的として、市場には多種のベイト、ルアーおよびフライが出回っている。
魚類の性ホルモンやその代謝産物の幾つかが、性フェロモンとして機能することは知られている。これらは魚類の生殖生理および行動制御に、明確かつ基礎的な役割を示す（参照：『Ｆｉｓｈ Ｃｈｅｍｏｒｅｃｅｐｔｉｏｎ（魚類の化学受容）』１９９２，Ｔ．Ｊ．Ｈａｒａ編、『Ｆｉｓｈ ａｎｄ Ｆｉｓｈｅｒｉｅｓ Ｓｅｒｉｅｓ ６（魚類と漁業シリーズ６）』ＣｈａｐｍａｎおよびＨａｌｌ、ロンドンおよびグラスゴー）。これらのホルモンやその代謝産物は水環境へ放出されると、たとえ極めて低い濃度であっても他の魚類に感知されることが知られている。
【０００３】
【発明の解決しようとする課題】
集魚剤として働き、さらに魚類の採食行動および採食を誘起する組成物を提供することが本発明の目的である。
本発明は、魚を餌へおびき寄せるための性フェロモンとして働く性ホルモン、このホルモンは魚類または海産多毛環形類に由来するが、これを少なくとも一種含有する組成物を提供する。
【０００４】
【発明の実施の形態】
一つの実施形態において本組成物は、魚類に由来する性ホルモンを少なくとも一種含有する。
別の実施形態において本組成物は、海産多毛環形類に由来する性ホルモンを少なくとも一種含有する。
【０００５】
本発明のさらに別の実施形態において、本組成物は魚類および海産多毛環形類に由来するホルモンの混合物を含有する。
さらに本組成物は、前記適切な性フェロモンまたはそれが関与する代謝産物の、適当な模倣種または類似種含んでよい。基本的に、適切な性フェロモンには魚類中に見つかっているフリーで共役なステロイド類が全て含まれると解釈される。
【０００６】
一つの実施形態において本組成物は、魚を捕るために使用される餌であるか、または餌に含まれる。
別の実施形態において本組成物は、魚をおびき寄せるための魚餌に含まれ採食を誘起する。
この性ホルモンは、１７，２０β−ジヒドロキシ−４−プレグネン−３−オン、プロゲステロン、１７，２０β，２１−トリヒドロキシ−４−プレグネン−３−オン、テストステロングルクロニド、５β−プレグネン−３α，１７β−ジオール−２０−オン−３α−グルクロニド、１７α−ジヒドロキシ−４−プレグネン−３−オン２０硫酸塩、ケトン５−メチル−３−ヘプタノン、ケトン３，５−オクタジエン−２−オン、およびプロスタグランジン類（Ａ、Ｂ、Ｄ、ＥおよびＦ類）からなる群から選択されるのが好ましい。
【０００７】
本発明の別の実施形態において、本組成物は海産多毛環形類に由来する性フェロモンを含有する。
この性フェロモンは、ケトン５−メチル−３−ヘプタノンもしくはケトン３，５−オクタジエン−２−オン、または類似する合成種であることが好ましい。
別法として、海産多毛環形類由来の性フェロモンには、尿酸およびイノシンなどプリン環系または類似する合成種が含まれる。
【０００８】
本発明はさらに、許容可能なキャリア共に、魚類もしくは海産多毛環形類由来の性ホルモンまたは類似する合成種を含有する魚餌組成物を提供する。
このキャリアは、脂肪族アルコールまたはプロピレングリコールが好ましい。
性ホルモンが魚類に由来する場合、性ホルモンは１７，２０β−ジヒドロキシ−４−プレグネン−３−オン（あるいは１７α，２０β−ジヒドロキシ−４−プレグネン−３−オンともいう）またはその共役物の一つであることが好ましい。
【０００９】
本組成物は、他の揮発性ステロイドグルクロニドを一種、およびプロスタグランジンを含有するのが好ましい。
本組成物は液体であることが好ましい。
本発明はさらに、集魚と漁獲での本組成物の使用を提供するが、これは本組成物が魚類の採食行動を誘起するからである。
【００１０】
別の態様において、本発明は前記組成物の使用を介して前記魚類の集魚、採食を誘起する方法を提供する。
本発明の別の態様では、釣りまたは商業漁業で使用される全ての餌（生餌または死餌）、ルアー、フライ（ドライまたはウェット）への、本組成物の使用を提供する。
【００１１】
一つの実施形態において、本発明は許容可能なキャリアと共に、魚類の性フェロモンの少なくとも一種からなる組成物を提供する。
別の実施形態において、本発明は許容可能なキャリアと共に、合成された魚類の性フェロモンとからなる組成物を提供する。キャリアはこの組成物を溶解するものが好ましい。
【００１２】
好ましいキャリアは、エタノール、モノエチレングリコール、プロピレングリコールなどの脂肪族アルコールである。
本発明の組成物に使用されるフェロモンは、プロスタグランジン類から選択された化合物の少なくとも一種と共に、魚類の性ホルモン、１７，２０β−ジヒドロキシ−４−プレグネン−３−オン、または他の揮発性ステロイドグルクロニドの一種が好ましい。
【００１３】
特に、少なくとも１７，２０β−ジヒドロキシ−４−プレグネン−３−オン、およびプロスタグランジンＦ2αを含有する組成物が好ましい。
さらに好ましくは、前記性ホルモンを、魚類の尿中存在する香気の強い化学物質のいずれかと共に含有させる。本発明の組成物は様々な実施形態で使用し得る。
【００１４】
従って魚類または海産多毛環形類に由来し、かつ採食を求めて予想外に良好な集魚効果を発揮し、性フェロモンとして働く性ホルモンを少なくとも一種含有する新規な組成物を、本発明は提供する。この効果は特にコイの採食および採食行動の誘起に関して顕著である。
さらにこのような組成物を、多種の魚類をおびき寄せるために、釣り人や漁師が使用するあらゆる種類の餌に添加してよい。
【００１５】
本明細書において、「性フェロモン」には魚類および海産多毛環形類に見つかっている、全てのフリーおよび共役ステロイドが含まれると解釈される。例えば、１７，２０β−ジヒドロキシ−４−プレグネン−３−オン、プロゲステロン、１７，２０β，２１−トリヒドロキシ−４−プレグネン−３−オン、テストステロングルクロニド、５β−プレグネン−３α，１７β−ジオール−２０−オン−３α−グルクロニドならびに１７α−ジヒドロキシ−４−プレグネン−３−オン２０硫酸塩、ケトン３，５−オクタジエン−２−オン、ケトン５−メチル−３−ヘプタノン、ならびにプロスタグランジン（Ａ、Ｂ、Ｄ、ＥならびにＦ類）、およびそれらの代謝産物などが含まれる。
【００１６】
一つの実施形態において、本発明の組成物は餌、ルアー、フライ、撒き餌および／または釣り針を浸すことができる液体である。別法としてこの液体を餌、ルアー、フライ、撒き餌および／または釣り針の表面に添加してよい。さらに別法として、手動ポンプ式またはガス駆動式ディスペンサ装置を用いて、使用者が容易に塗布できるように、本発明をスプレー剤として配合してよい。
【００１７】
別の実施形態において、本組成物を餌に注入するのに適当なように配合して餌へ加えてよい。
別法として、本組成物をプラスチックまたはゼラチン・ベイトへ使用してもよい。
魚をおびき寄せるため、本組成物を餌または他の適当な支持媒体へ加えてもよく、この餌または他の媒体を魚がいると分かっている場所へ撒くかまたは投入する。別法として、この餌を直接裸の釣り針へ付けてもよいし、本組成物を別の媒体の適切な場所へ加えることもできる。
【００１８】
本発明の組成物を、フロータントへ混合する、フライにスプレーする、餌を必要に応じて浮かせたり沈ませたりするためのグリース剤またはグリース除去剤へ混合する、など多種の用途のために配合してよい。
さらに配合剤を撒き餌と混ぜ乾燥して保存してよい。
本発明の配合剤は水溶液中で驚くほど効果を発揮する。キャリアはエタノールが好ましく、配合剤は基本的にエタノール中に、１７，２０β−ジヒドロキシ−４−プレグネン−３−オンまたは共役物を含み得る。使用時水と接触させたとき、この配合剤は１７，２０β−ジヒドロキシ−４−プレグネン−３−オンを生成する。
【００１９】
フィッシングの最中、本配合剤は膨大な水によって希釈され、よって本発明の配合剤を使用すればフィッシングを効果的に行うことができる。それが最も驚くべき発見および長所である。
本発明の組成物に有利に使用してよい魚類の性フェロモンには、１７，２０β−ジヒドロキシ−４−プレグネン−３−オンなどがある。
【００２０】
生殖中メスの魚類多く、例えば金魚は卵母細胞の最終成熟を誘発するために、ゴナドトロピンによる排卵誘起に反応して、１７，２０β−ジヒドロキシ−４−プレグネン−３−オン（１７，２０βｐ）または密接な関係を有するプロゲステロンのステロイドホルモン（プロゲステロンに由来し炭素原子を２１個有する）を合成する。
【００２１】
また、メスは、１７，２０βＰをオスの魚類の嗅覚系に感知され得る水中へ放出する。この結果オスの魚類の精巣（精子）レベルが上昇する。このことから１７，２０βＰは放卵の前にオスの内分泌系を刺激する性フェロモンであると考えられる。オスの魚類のための閾値濃度は約１０-13Ｍ濃度（モル濃度）であり、魚類において同定された臭発生物質中で最も刺激性に富む（参照：Ｓｏｒｅｎｓｏｎ他１９８７年『Ｊ． Ｃｏｍｐ． Ｐｈｙｓｉｏｌ（比較生理学ジャーナル）』１６０Ａ、３０５−３１５）。
【００２２】
１７，２０βＰが生殖フェロモンであることは公知であるが、他の役目、集魚餌としての可能性は指摘されていなかった。
集魚餌組成物としての特性を示す魚類の性フェロモンは他に、プロスタグランジンＦ2α（ＰＧＦ2α）がある。
このプロスタグランジンが、金魚など数種類のコイ目コイ科の排卵後に放出されるフェロモンであることは公知である。その役目はオスの性行動を刺激することであり、メスは放卵中もこの化合物を放出する。しかしＰＧＦ2αが魚類の性フェロモンとしての役割以外の役割を有するという証拠は示されていない。
【００２３】
ＰＧＦ2αは、水中へ投入され希釈されても魚類が感知できるような濃度で、集魚餌に加える。
純粋または、１７，２０β−ジヒドロキシ−４−プレグネン−３−オンおよびエタノールキャリアとの粗合成種、のいずれかを含む特定の組成物を本研究者らは研究室にて実験してきた。
【００２４】
実験用行動チャンバ内での電気生理学的および行動学的研究によって、オスおよびメスのコイの双方が１７，２０β−ジヒドロキシ−４−プレグネン−３−オンを感知し、このホルモンの感知によって、魚は採食行動をとることが分かった。
特定のものに制限されない組成物の例を以下に示す。
【００２５】
【表１】
0004739646.tif 000002
この新規な組成物の使用は、フィッシングでの使用に関して強調されているが、本組成物の使用はそれだけに限定されない。別の様々な目的に使用されても、本組成物が有用であり得ることは理解されよう。例えば、これを食物摂取および薬物摂取を高めるために養殖業界で使用してよい。
【００２６】
本発明はさらに海産多毛環形類由来の性フェロモンを、本発明の組成物へ混合することを提供する。
海産多毛環形類において、放卵活動とその同時放精は、性フェロモンの使用を介して影響を受けている。これらの性フェロモンは多毛類の体腔液中に存在することが知られており、かつケトン５−メチル−３−ヘプタノンならびにケトン３，５−オクタジエン−２−オン、および尿酸およびイノシンなどのプリン環系、を含有する化合物を含むと考えられている。
【００２７】
放卵中、多毛類の数種類は大群を作り、放卵を異性に同調させるために、フェロモンを開水域へ放出する。魚類はこれらのフェロモンを感知でき、餌食の種が大群で存在していることを示すシグナルとしてフェロモンを利用する。従って多毛類による性フェロモンの放出は、集魚剤としての役目をもつ。それ故に、そのようなフェロモンを本発明の組成物に活性化合物として使用することは可能で、よって多種の魚をおびき寄せるための餌配合剤に使用することができる。
【００２８】
【実施例】
１７，２０β−ジヒドロキシ−４−プレグネン−３−オンの集魚餌としての役目を実証するために、広範な実験室内研究を行った。１７，２０β−ジヒドロキシ−４−プレグネン−３−オンに応答するコイの行動を、Ｐｅｒｓｐｅｘ（透明プラスチック材）流動実験水路で研究した。
【００２９】
[実験１]
魚を別個に水路に入れ、各実験前に最低１時間ほど環境に順化させた。
第１セットの実験は、コイのオス（ｎ＝５）およびメス（ｎ＝５）が１７，２０β−ジヒドロキシ−４−プレグネン−３−オンの純粋および合成種に対して、どのように反応するかその行動を連続希釈して見定めた。希釈範囲は１／１０5〜1／１０11である。
【００３０】
[実験２]
第２セットの実験では、コイのオスおよびメス（ｎ＝６）が、合成１７，２０β−ジヒドロキシ−４−プレグネン−３−オンに対して、どのように反応するかその行動を、実験１で使用したのと同一の連続希釈を用いて試験した。ただし水路の底部に５個の染色ゼラチン・ペレットを置いた。
【００３１】
研究結果は、１７，２０β−ジヒドロキシ−４−プレグネン−３−オンを、濃度範囲１／１０5〜１／１０10で行動チャンバへ加えると、コイの採食行動が誘起されることを実証している。この採食行動の特徴は以下の通りであった。
１．  初期、コイは１７，２０β−ジヒドロキシ−４−プレグネン−３−オンを感知し、口をパクパクさせてひれを広げた。
【００３２】
２．  続いて、１７，２０β−ジヒドロキシ−４−プレグネン−３−オン源を突き止めようとして上流へ移動、探索行動。
３．  引き続き、この魚が実験チャンバの底にある小片の物質を摂取した、採食段階。
従って、この実験より、１７，２０β−ジヒドロキシ−４−プレグネン−３−オンが未成魚のコイをおびき寄せ、さらにこれらの個体に採食行動をとらせたことが分かる。これらの魚は性的に未成熟なので、結果から１７，２０β−ジヒドロキシ−４−プレグネン−３−オンは、性フェロモンとしては機能せず集魚餌として機能していることが示唆される。